(57)【要約】【課題】検体中に含まれる赤血球と結晶の計数精度を向上させることが可能な検体分析方法および検体分析装置を提供する。【解決手段】試料調製部は、尿検体と試薬とを混合して測定試料を調製する。試料調製部によって調製された測定試料は、フローセル２０５に流される。レーザ光源２０１は、フローセル２０５を流れる測定試料に直線偏光の光を照射する。フォトマルチプライヤ２１５は、測定試料中の粒子が照射されることにより生じる側方散乱光のうち、偏光フィルタ２１４を通過し、測定試料に照射される照射光とは異なる偏光状態の側方散乱光（偏光解消側方散乱光）を検出する。情報処理装置は、偏光解消側方散乱光信号のピーク値（ＰＳＳＣＰ）の相違に基づいて、測定試料に含まれる赤血球と赤血球以外の粒子とを分類する。【選択図】図３
2015064344.tif 000002
【特許請求の範囲】
【請求項１】
検体と試薬とを混合して調製された測定試料をフローセルに流し、
フローセルを流れる測定試料に対して直線偏光の光を照射し、
測定試料中の粒子が照射されることにより生じる光を検出し、
検出した光から、各粒子に基づく偏光状態を反映する第１パラメータを取得し、
前記第１パラメータの相違に基づいて、測定試料中の赤血球と結晶とを分類する、
ことを特徴とする検体分析方法。
【請求項２】
請求項１に記載の検体分析方法において、
前記光の検出では、測定試料に照射される照射光が測定試料中の粒子によって散乱した散乱光であって、前記照射光とは異なる偏光状態の散乱光が検出される、
ことを特徴とする検体分析方法。
【請求項３】
請求項２に記載の検体分析方法において、
前記照射光の偏光方向は、前記照射光の照射位置における前記測定試料の流れ方向に平行となっており、
前記散乱光の検出は、前記流れ方向に垂直な偏光成分の光を検出することである、
ことを特徴とする検体分析方法。
【請求項４】
請求項１ないし３の何れか一項に記載の検体分析方法において、
前記光の検出は、測定試料中の粒子から発せられ、前記照射光の偏光方向とは異なる偏光方向の光を透過する偏光フィルタを介して行われることを含む、
ことを特徴とする検体分析方法。
【請求項５】
請求項１ないし４の何れか一項に記載の検体分析方法において、
測定試料中の粒子が照射されることにより生じる散乱光から、各粒子の大きさを反映する第２パラメータをさらに取得し、
前記第１および第２パラメータに基づいて、生体試料に含まれる粒子を、赤血球を含む第１の集団と、結晶を含む第２の集団に分類する、
ことを特徴とする検体分析方法。
【請求項６】
請求項５に記載の検体分析方法において、
測定試料中の粒子が照射されることにより生じる蛍光から第３パラメータをさらに取得し、
前記第３パラメータに基づいて、前記第１の集団に含まれる粒子を、赤血球と、その他の粒子にさらに分類する、
ことを特徴とする検体分析方法。
【請求項７】
請求項１ないし６の何れか一項に記載の検体分析方法において、
前記検体は、血液以外の体液または尿である、
ことを特徴とする検体分析方法。
【請求項８】
検体と試薬とを混合して測定試料を調製する試料調製部と、
前記試料調製部によって調製された測定試料が流れるフローセルと、
前記フローセルを流れる測定試料に直線偏光の光を照射する照射ユニットと、
測定試料中の粒子が照射されることにより生じる光であって、前記測定試料に照射される照射光とは異なる偏光状態の光を検出する検出部と、
前記検出部による検出結果から、各粒子に基づく偏光状態を反映する第１パラメータを取得し、当該第１パラメータの相違に基づいて、測定試料中の赤血球と結晶とを分類する解析部と、を備える、
ことを特徴とする検体分析装置。
【請求項９】
請求項８に記載の検体分析装置において、
前記検出部は、測定試料に照射される照射光が測定試料中の粒子によって散乱した散乱光であって、前記照射光とは異なる偏光状態の散乱光を検出する、
ことを特徴とする検体分析装置。
【請求項１０】
請求項９に記載の検体分析装置において、
前記照射光の偏光方向は、前記照射光の照射位置における前記測定試料の流れ方向に平行となっており、
前記検出部は、前記流れ方向に垂直な偏光成分の光を検出する、
ことを特徴とする検体分析装置。
【請求項１１】
請求項８ないし１０の何れか一項に記載の検体分析装置において、
前記検出部は、測定試料中の粒子から発せられ、前記照射光の偏光方向とは異なる偏光方向の光を透過する偏光フィルタを介して前記光を検出する、
ことを特徴とする検体分析装置。
【請求項１２】
請求項８ないし１１の何れか一項に記載の検体分析装置において、
測定試料中の粒子が照射されることにより生じる散乱光を検出する他の検出部をさらに備え、
前記解析部は、前記他の検出部による検出結果から、各粒子の大きさを反映する第２パラメータをさらに取得し、前記第１パラメータおよび当該第２パラメータに基づいて、生体試料に含まれる粒子を、赤血球を含む第１の集団と、結晶を含む第２の集団に分類する、
ことを特徴とする検体分析装置。
【請求項１３】
請求項１２に記載の検体分析装置において、
前記解析部は、測定試料中の粒子が照射されることにより生じる蛍光から第３パラメータをさらに取得し、当該第３パラメータに基づいて、前記第１の集団に含まれる粒子を、赤血球と、その他の粒子にさらに分類する、
ことを特徴とする検体分析装置。
【請求項１４】
請求項８ないし１３の何れか一項に記載の検体分析装置において、
前記検体は、血液以外の体液または尿である、
ことを特徴とする検体分析装置。
【請求項１５】
検体と試薬とを混合して調製された測定試料をフローセルに流し、
フローセルを流れる測定試料に対して直線偏光の光を照射し、
測定試料中の粒子が照射されることにより生じる光を検出し、
検出した光から、各粒子に基づく偏光状態を反映するパラメータを取得し、
前記パラメータの相違に基づいて、測定試料中の結晶と結晶以外の粒子とを分類する、
ことを特徴とする検体分析方法。
【請求項１６】
請求項１５に記載の検体分析方法において、
前記結晶以外の粒子は、少なくとも赤血球を含む、
ことを特徴とする検体分析方法。
【請求項１７】
検体と試薬とを混合して測定試料を調製する試料調製部と、
前記試料調製部によって調製された測定試料が流れるフローセルと、
前記フローセルを流れる測定試料に直線偏光の光を照射する照射ユニットと、
測定試料中の粒子が照射されることにより生じる光であって、前記測定試料に照射される照射光とは異なる偏光状態の光を検出する検出部と、
前記検出部による検出結果から、各粒子に基づく偏光状態を反映するパラメータを取得し、当該パラメータの相違に基づいて、測定試料中の結晶と結晶以外の粒子とを分類する解析部と、を備える、
ことを特徴とする検体分析装置。
【請求項１８】
請求項１７に記載の検体分析装置において、
前記結晶以外の粒子は、少なくとも赤血球を含む、
ことを特徴とする検体分析装置。
【発明の詳細な説明】
【技術分野】
【０００１】
本発明は、検体から調製された測定試料に光を照射して光学情報を取得し、取得した光学情報に基づいて検体の分析を行う検体分析方法および検体分析装置に関する。
【背景技術】
【０００２】
従来、フローサイトメータによって検体に含まれる粒子を検出する技術が知られている。たとえば、特許文献１には、フローサイトメータによって試料中の粒子から前方散乱光や蛍光を検出し、受光強度に応じて尿検体に含まれる粒子を２次元分布図上にプロットすることで、各粒子を複数の種類に分類し、計数する技術が開示されている。
【先行技術文献】
【特許文献】
【０００３】
【特許文献１】特開平１１−２３４４６号公報
【発明の概要】
【発明が解決しようとする課題】
【０００４】
上記特許文献によれば、尿検体中に含まれる粒子の種類が多いため、特に赤血球と結晶の分布領域どうしが互いに重なり合ってしまうとの問題が指摘されていた。このような問題を考慮して、上記特許文献では、赤血球と結晶の分布の重なり度合によって赤血球の計数精度の信頼性を評価していた。
【０００５】
尿中の赤血球数は、腎・尿路系疾患の診断において非常に重要な情報であるため、結晶を多く含む尿検体であっても、信頼性の評価だけでなく、赤血球の正確な計数結果が望まれている。また、尿および血液以外の体液検体（とくに関節液）は、赤血球と結晶を含むことがある。したがって、尿だけでなく体液検体についても、赤血球を結晶と区別して正確に計数することが望まれている。
【０００６】
本発明は、上記課題に鑑みてなされたものであり、検体中に含まれる赤血球と結晶の計数精度を向上させることが可能な検体分析方法および検体分析装置を提供することを目的とする。
【課題を解決するための手段】
【０００７】
本発明の第１の態様は、検体分析方法に関する。この態様に係る検体分析方法は、検体と試薬とを混合して調製された測定試料をフローセルに流し、フローセルを流れる測定試料に対して直線偏光の光を照射し、測定試料中の粒子が照射されることにより生じる光を検出し、検出した光から、各粒子に基づく偏光状態を反映する第１パラメータを取得し、前記第１パラメータの相違に基づいて、測定試料中の赤血球と結晶とを分類する。
【０００８】
赤血球と結晶は、それぞれ、偏光特性が異なる。結晶に光が照射されると、これにより生じる光の偏光方向は、結晶に含まれる成分の旋光性に応じて変化する。一方、赤血球に光が照射されると、これにより生じる光の偏光方向はほとんど変化しない。よって、本態様に係る検体分析方法によれば、粒子が照射されることにより生じる光から、各粒子に基づく偏光状態を反映する第１パラメータを取得すると、第１パラメータの相違に基づいて、赤血球と結晶とを分類することができる。したがって、結晶を多く含む尿検体であっても、赤血球を精度良く計数することができるため、腎・尿路系疾患や出血性疾患の診断において重要な情報が取得され得る。分析対象が体液である場合に、体液に赤血球と結晶が混在している場合でも、結晶の影響を受けずに赤血球を分類でき、赤血球を精度良く計数することができる。
【０００９】
本態様に係る検体分析方法において、前記光の検出では、測定試料に照射される照射光が測定試料中の粒子によって散乱した散乱光であって、前記照射光とは異なる偏光状態の散乱光が検出される。
【００１０】
この場合、前記照射光の偏光方向は、前記照射光の照射位置における前記測定試料の流れ方向に平行となるよう設定され、前記散乱光の検出は、前記流れ方向に垂直な偏光成分の光を検出するようにして行われ得る。このように、照射光の偏光方向を、照射光の照射位置における測定試料の流れ方向に平行とすると、測定試料中の粒子から生じる散乱光と蛍光とを、同一方向において受光し易くすることができる。これにより、散乱光と蛍光を検出するための光学系を簡素にすることができる。なお、この場合、流れ方向に垂直な偏光成分の光を検出することにより、各粒子に基づく偏光状態を反映する第１パラメータを効率的に取得することができる。
【００１１】
本態様に係る検体分析方法において、前記光の検出は、測定試料中の粒子から発せられ、前記照射光の偏光方向とは異なる偏光方向の光を透過する偏光フィルタを介して行われることを含み得る。これにより、粒子が含有する成分の旋光性に応じて変化した偏光方向の光を検出することができる。
【００１２】
また、本態様に係る検体分析方法は、測定試料中の粒子が照射されることにより生じる散乱光から、各粒子の大きさを反映する第２パラメータをさらに取得し、前記第１および第２パラメータに基づいて、生体試料に含まれる粒子を、赤血球を含む第１の集団と、結晶を含む第２の集団に分類する設定とされ得る。
【００１３】
この場合、本態様に係る検体分析方法は、測定試料中の粒子が照射されることにより生じる蛍光から第３パラメータをさらに取得し、前記第３パラメータに基づいて、前記第１の集団に含まれる粒子を、赤血球と、その他の粒子にさらに分類する設定とされ得る。これにより、赤血球を、さらにその他の粒子から区別することができるため、赤血球の計数精度を高めることができる。
【００１４】
本態様に係る検体分析方法において、前記検体は、血液以外の体液または尿である。
【００１５】
本発明の第２の態様は、検体分析装置に関する。この態様に係る検体分析装置は、検体と試薬とを混合して測定試料を調製する試料調製部と、前記試料調製部によって調製された測定試料が流れるフローセルと、前記フローセルを流れる測定試料に直線偏光の光を照射する照射ユニットと、測定試料中の粒子が照射されることにより生じる光であって、前記測定試料に照射される照射光とは異なる偏光状態の光を検出する検出部と、前記検出部による検出結果から、各粒子に基づく偏光状態を反映する第１パラメータを取得し、当該第１パラメータの相違に基づいて、測定試料中の赤血球と結晶とを分類する解析部と、を備える。
【００１６】
本態様に係る検体分析装置によれば、上記第１の態様と同様の効果が奏され得る。
【００１７】
本態様に係る検体分析装置において、前記検出部は、測定試料に照射される照射光が測定試料中の粒子によって散乱した散乱光であって、前記照射光とは異なる偏光状態の散乱光を検出する構成とされ得る。
【００１８】
この場合、前記照射光の偏光方向は、前記照射光の照射位置における前記測定試料の流れ方向に平行となっており、前記検出部は、前記流れ方向に垂直な偏光成分の光を検出する構成とされ得る。
【００１９】
本態様に係る検体分析装置において、前記検出部は、測定試料中の粒子から発せられ、前記照射光の偏光方向とは異なる偏光方向の光を透過する偏光フィルタを介して前記光を検出する構成とされ得る。
【００２０】
また、本態様に係る検体分析装置は、測定試料中の粒子が照射されることにより生じる散乱光を検出する他の検出部をさらに備える構成とされ得る。ここで、前記解析部は、前記他の検出部による検出結果から、各粒子の大きさを反映する第２パラメータをさらに取得し、前記第１パラメータおよび当該第２パラメータに基づいて、生体試料に含まれる粒子を、赤血球を含む第１の集団と、結晶を含む第２の集団に分類する構成とされ得る。
【００２１】
この場合、前記解析部は、測定試料中の粒子が照射されることにより生じる蛍光から第３パラメータをさらに取得し、当該第３パラメータに基づいて、前記第１の集団に含まれる粒子を、赤血球と、その他の粒子にさらに分類する構成とされ得る。
【００２２】
本態様に係る検体分析装置において、前記検体は、血液以外の体液または尿である。
【００２３】
本発明の第３の態様は、検体分析方法に関する。この態様に係る検体分析方法は、検体と試薬とを混合して調製された測定試料をフローセルに流し、フローセルを流れる測定試料に対して直線偏光の光を照射し、測定試料中の粒子が照射されることにより生じる光を検出し、検出した光から、各粒子に基づく偏光状態を反映するパラメータを取得し、前記パラメータの相違に基づいて、測定試料中の結晶と結晶以外の粒子とを分類する。
【００２４】
本態様に係る検体分析方法によれば、結晶と結晶以外の粒子とを正確に分類することができる。
【００２５】
本態様に係る検体分析方法において、前記結晶以外の粒子は、少なくとも赤血球を含む。
【００２６】
本発明の第４の態様は、検体分析装置に関する。この態様に係る検体分析装置は、検体と試薬とを混合して測定試料を調製する試料調製部と、前記試料調製部によって調製された測定試料が流れるフローセルと、前記フローセルを流れる測定試料に直線偏光の光を照射する照射ユニットと、測定試料中の粒子が照射されることにより生じる光であって、前記測定試料に照射される照射光とは異なる偏光状態の光を検出する検出部と、前記検出部による検出結果から、各粒子に基づく偏光状態を反映するパラメータを取得し、当該パラメータの相違に基づいて、測定試料中の結晶と結晶以外の粒子とを分類する解析部と、を備える。
【００２７】
本態様に係る検体分析装置によれば、上記第３の態様と同様の効果が奏され得る。
【００２８】
本態様に係る検体分析装置において、前記結晶以外の粒子は、少なくとも赤血球を含む。
【発明の効果】
【００２９】
以上のとおり、本発明によれば、検体中に含まれる赤血球と結晶の計数精度を向上させることが可能な検体分析方法および検体分析装置を提供することができる。
【００３０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００３１】
【図１】実施の形態に係る尿検体分析装置の外観の構成を示す図である。
【図２】実施の形態に係る測定装置の構成を示す図である。
【図３】実施の形態に係る光学検出部の構成を示す模式図である。
【図４】実施の形態に係る特徴パラメータについて説明する図である。
【図５】実施の形態に係る情報処理装置の構成を示す図である。
【図６】実施の形態に係る測定装置と情報処理装置の処理を示すフローチャートである。
【図７】実施の形態に係る第１〜第４スキャッタグラムおよび第１〜第４スキャッタグラムに設定される領域を示す図である。
【図８】実際の尿検体に対して、顕微鏡を使用した目視による計数結果、ならびに、実施の形態に係る計数結果および第３、第４スキャッタグラムにおける分画を行った結果を示す図である。
【図９】実際の尿検体に対して、顕微鏡を使用した目視による計数結果、ならびに、実施の形態に係る計数結果および第３、第４スキャッタグラムにおける分画を行った結果を示す図である。
【図１０】変更例に係る表示部に表示される画面を示す図である。
【図１１】変更例に係る情報処理装置の処理を示すフローチャート、ならびに、第５スキャッタグラムおよび第５スキャッタグラムに設定される領域を示す図である。
【発明を実施するための形態】
【００３２】
本実施の形態は、血球、細菌、円柱、上皮細胞などの粒子を含む尿検体を分析する尿検体分析装置に本発明を適用したものである。測定対象となる尿検体は、排泄された尿の他に、原尿、尿管中の尿、膀胱内の尿、尿道中の尿など、生体内から採取した尿を含むものである。
【００３３】
以下、本実施の形態について、図面を参照して説明する。
【００３４】
図１は、尿検体分析装置１の外観の構成を示す図である。
【００３５】
尿検体分析装置１は、尿検体に含まれる粒子をフローサイトメータにより光学的に測定する測定装置２と、測定装置２から出力された後述の測定データを処理する情報処理装置３とを備えている。測定装置２の前方には搬送部２ａが設けられており、搬送部２ａによって、尿検体が収容された容器Ｔを複数保持するラックＲが搬送される。情報処理装置３は、本体３０と、分析結果等が表示される表示部３１と、オペレータの指示を受け付ける入力部３２を備えている。
【００３６】
図２は、測定装置２の構成を示す図である。
【００３７】
測定装置２は、検体分配部２１と、試料調製部２２と、光学検出部２３と、信号処理回路２４と、ＣＰＵ２５と、メモリ２６と、通信インターフェース２７とを有する。信号処理回路２４は、アナログ信号処理回路２４１と、Ａ／Ｄコンバータ２４２と、デジタル信号処理回路２４３と、メモリ２４４とを有する。
【００３８】
検体分配部２１は、搬送部２ａによって搬送された容器Ｔから所定量の尿検体を吸引し、試料調製部２２に供給する。試料調製部２２は、混合容器とポンプ（図示せず）を備えている。また、試料調製部２２には、容器２２１、２２２が、チューブを介して接続されている。容器２２１には、細胞膜およびタンパク質を染色する染料を含有する試薬が収容されており、容器２２２には、希釈液が収容されている。混合容器では、検体分配部２１から供給された検体に対して、容器２２１、２２２から供給される試薬と希釈液が混合され、測定試料の調製が行われる。混合容器で調製された測定試料は、ポンプにより、シース液と共に光学検出部２３のフローセル２０５（図３参照）に供給される。
【００３９】
図３は、光学検出部２３の構成を示す模式図である。
【００４０】
光学検出部２３は、レーザ光源２０１と、コリメータレンズ２０２と、シリンドリカルレンズ２０３と、コンデンサレンズ２０４と、フローセル２０５と、集光レンズ２０６と、ビームストッパ２０７と、ピンホール２０８と、フォトダイオード２０９と、集光レンズ２１０と、ダイクロイックミラー２１１と、ハーフミラー２１２と、フォトマルチプライヤ２１３と、偏光フィルタ２１４と、フォトマルチプライヤ２１５と、分光フィルタ２１６と、フォトマルチプライヤ２１７を備えている。
【００４１】
レーザ光源２０１は、波長４８８ｎｍ程度のレーザ光をＸ軸正方向に出射する。レーザ光源２０１から出射されるレーザ光は、直線偏光となっている。レーザ光源２０１は、直線偏光の偏光方向が、フローセル２０５上のレーザ光の照射位置における測定試料の流れ方向（Ｚ軸方向）に平行となるよう、測定装置２内に設置されている。すなわち、レーザ光源２０１から出射されるレーザ光の偏光方向は、Ｚ軸方向に垂直な面を入射面としたとき、当該入射面に対して垂直となっている。
【００４２】
レーザ光源２０１から出射されたレーザ光は、コリメータレンズ２０２により平行光に変換される。コリメータレンズ２０２を透過したレーザ光は、シリンドリカルレンズ２０３によりＹ軸方向にのみ収束される。シリンドリカルレンズ２０３を透過したレーザ光は、コンデンサレンズ２０４により、Ｙ軸方向とＺ軸方向に集光される。これにより、レーザ光源２０１から出射されるレーザ光が、フローセル２０５内をＺ軸方向に流れる測定試料に対して、Ｙ軸方向に細長いビーム形状で照射される。レーザ光が測定試料中の粒子に照射されると、フローセル２０５の前方（Ｘ軸正方向）に前方散乱光が生じ、フローセル２０５の側方（Ｙ軸正方向）に側方散乱光と側方蛍光が生じる。
【００４３】
前方散乱光は、フローセル２０５のＸ軸正方向側に配置された集光レンズ２０６により、ピンホール２０８の位置に集光される。レーザ光源２０１から出射された光のうち、測定試料中の粒子に照射されずにフローセル２０５を透過したレーザ光は、集光レンズ２０６によって集光された後、フォトダイオード２０９に入射しないようビームストッパ２０７によって遮断される。ピンホール２０８を通過した前方散乱光は、フォトダイオード２０９により検出される。フォトダイオード２０９は、検出した前方散乱光に基づいて前方散乱光信号（ＦＳＣ）を出力する。
【００４４】
側方散乱光は、フローセル２０５のＹ軸正方向側に配置された集光レンズ２１０によって収束される。集光レンズ２１０を透過した側方散乱光は、ダイクロイックミラー２１１により反射される。ダイクロイックミラー２１１によって反射された側方散乱光は、無偏光タイプのハーフミラー２１２によって２分割される。ハーフミラー２１２を透過した側方散乱光は、フォトマルチプライヤ２１３により検出される。フォトマルチプライヤ２１３は、検出した側方散乱光に基づいて側方散乱光信号（ＳＳＣ）を出力する。ハーフミラー２１２により反射された側方散乱光は、偏光フィルタ２１４に入射する。
【００４５】
測定試料中の粒子に対して所定の偏光方向のレーザ光が照射されると、側方散乱光の偏光方向は、粒子が含有する成分が持つ旋光性に応じて、粒子に照射される前のレーザ光の偏光方向から変化する。本実施の形態では、測定試料に照射されるレーザ光の偏光方向は、フローセル２０５を流れる測定試料の流れ方向（Ｚ軸方向）に平行となっている（以下、この偏光状態を「初期の偏光状態」という）。したがって、測定試料にレーザ光が照射されると、照射された粒子が含有する成分に応じて、成分が分布する部分のレーザ光の偏光方向が回転し、測定試料に照射される前の初期の偏光状態とは異なる偏光方向となる。このように測定試料に照射されるレーザ光の偏光方向が、部分的に変化して初期の偏光状態から崩れると、Ｙ軸正方向に生じる側方散乱光には、種々の偏光状態の光成分が含まれるようになる。
【００４６】
このとき、粒子から生じる側方散乱光のうち、測定試料に照射される前の偏光方向に垂直な偏光方向の光成分の割合（初期の偏光状態が崩される度合い）は、粒子が有する成分に応じて決まる。本実施の形態では、後述するように、赤血球と結晶が、それぞれ偏光特性の異なる固有の成分を有することに着目し、側方散乱光の偏光状態（初期の偏光状態が崩される度合い）に基づいて、赤血球と結晶が分類される。
【００４７】
偏光フィルタ２１４は、Ｚ軸方向に平行な偏光を遮断し、Ｘ軸方向に平行な偏光を通過させるよう構成されている。偏光フィルタ２１４を通過した側方散乱光を、以下、「偏光解消側方散乱光」と称する。偏光解消側方散乱光は、フォトマルチプライヤ２１５により検出される。フォトマルチプライヤ２１５は、検出した偏光解消側方散乱光に基づいて偏光解消側方散乱光信号（ＰＳＳＣ）を出力する。
【００４８】
上記のように、側方散乱光の偏光方向は、測定試料中の粒子が持つ旋光性に応じて、初期の偏光状態から変化する。したがって、フォトマルチプライヤ２１５に到達する偏光解消側方散乱光の光量も、レーザ光が照射される粒子の種類毎に異なることとなり、また、偏光解消側方散乱光信号（ＰＳＳＣ）の大きさも、レーザ光が照射される粒子の種類毎に異なることとなる。
【００４９】
なお、フローセル２０５上から生じる前方散乱光と側方散乱光は、それぞれ、偏光フィルタを介さずに、そのまま、フォトダイオード２０９とフォトマルチプライヤ２１３によって受光される。したがって、フォトダイオード２０９は、フローセル２０５から生じた偏光方向が不揃いの前方散乱光をそのまま検出し、同様に、フォトマルチプライヤ２１３は、フローセル２０５から生じた偏光方向が不揃いの側方散乱光をそのまま検出する。なお、前方散乱光は、側方散乱光と同様、測定試料中の粒子の旋光性によって、偏光方向が初期の偏光状態から変化する。
【００５０】
側方蛍光は、側方散乱光と同様、集光レンズ２１０によって収束される。集光レンズ２１０を透過した側方蛍光は、ダイクロイックミラー２１１を透過し、分光フィルタ２１６に通されて、フォトマルチプライヤ２１７により検出される。フォトマルチプライヤ２１７は、検出した側方蛍光に基づいて側方蛍光信号（ＳＦＬ）を出力する。
【００５１】
図２に戻り、光学検出部２３は、前方散乱光信号（ＦＳＣ）と、側方散乱光信号（ＳＳＣ）と、偏光解消側方散乱光信号（ＰＳＳＣ）と、側方蛍光信号（ＳＦＬ）をアナログ信号処理回路２４１に出力する。アナログ信号処理回路２４１は、ＣＰＵ２５の指示に従って、光学検出部２３から出力された各光に基づく電気信号を、アンプにより増幅し、Ａ／Ｄコンバータ２４２に出力する。
【００５２】
Ａ／Ｄコンバータ２４２は、アナログ信号処理回路２４１から出力された電気信号をデジタル信号に変換し、デジタル信号処理回路２４３に出力する。デジタル信号処理回路２４３は、ＣＰＵ２５の指示に従って、Ａ／Ｄコンバータ２４２から出力されたデジタル信号に対して、所定の信号処理を施す。これにより、フローセル２０５内を粒子が通過する度に生じる前方散乱光と、側方散乱光と、偏光解消側方散乱光と、側方蛍光に対応する信号波形が取得される。すなわち、測定試料に含まれる粒子（赤血球、白血球、上皮細胞、円柱、細菌等）ごとに、各光に対応する信号波形が取得される。取得された信号波形は、メモリ２４４に記憶される。
【００５３】
ＣＰＵ２５は、メモリ２４４に記憶された信号波形から、前方散乱光と、側方散乱光と、偏光解消側方散乱光と、側方蛍光に対応する、複数の特徴パラメータ（ピーク値、幅、面積）を算出する。ピーク値（Ｐ）は、図４（ａ）に示すように、信号波形の最大値である。幅（Ｗ）は、図４（ｂ）に示すように、所定の閾値よりも大きい信号波形の部分の幅である。面積（Ａ）は、図４（ｃ）に示すように、所定の閾値と信号波形が交わる点から下に延ばした線分と、信号波形とに囲まれる部分の面積である。なお、図４（ｂ）、（ｃ）で用いられる閾値は、適切な特徴パラメータが得られるよう、特徴パラメータごとに適宜設定される。こうして算出された特徴パラメータは、メモリ２６に記憶される。
【００５４】
ＣＰＵ２５は、算出した粒子ごとの特徴パラメータ（以下、「測定データ」という）を、通信インターフェース２７を介して情報処理装置３に送信する。また、ＣＰＵ２５は、通信インターフェース２７を介して情報処理装置３から制御信号を受信し、かかる制御信号に従って測定装置２の各部を駆動する。
【００５５】
図５は、情報処理装置３の構成を示す図である。
【００５６】
情報処理装置３は、パーソナルコンピュータからなり、本体３０と、表示部３１と、入力部３２から構成されている。本体３０は、ＣＰＵ３０１と、ＲＯＭ３０２と、ＲＡＭ３０３と、ハードディスク３０４と、読出装置３０５と、画像出力インターフェース３０６と、入出力インターフェース３０７と、通信インターフェース３０８を有する。
【００５７】
ＣＰＵ３０１は、ＲＯＭ３０２に記憶されているコンピュータプログラムと、ＲＡＭ３０３にロードされたコンピュータプログラムを実行する。ＲＡＭ３０３は、ＲＯＭ３０２とハードディスク３０４に記憶されているコンピュータプログラムの読み出しに用いられる。また、ＲＡＭ３０３は、これらのコンピュータプログラムを実行するときに、ＣＰＵ３０１の作業領域としても利用される。
【００５８】
ハードディスク３０４には、オペレーティングシステムと、ＣＰＵ３０１に実行させるためのコンピュータプログラムと、コンピュータプログラムの実行に用いるデータが記憶されている。また、ハードディスク３０４には、図６に示す処理を実行させるためのプログラム３０４ａが予め記憶されており、測定装置２から受信した測定データが順次記憶される。読出装置３０５は、ＣＤドライブまたはＤＶＤドライブ等によって構成されており、記録媒体３０５ａに記録されたコンピュータプログラムとデータを読み出すことができる。なお、上記プログラム３０４ａが記録媒体３０５ａに記録されている場合には、読出装置３０５により記録媒体３０５ａから読み出されたプログラム３０４ａが、ハードディスク３０４に記憶される。
【００５９】
画像出力インターフェース３０６は、画像データに応じた映像信号を表示部３１に出力し、表示部３１は、映像信号に基づいて画像を表示する。オペレータが入力部３２を介して指示を入力すると、入出力インターフェース３０７は、入力された信号を受け付ける。通信インターフェース３０８は、測定装置２に接続されており、ＣＰＵ３０１は、通信インターフェース３０８を介して、測定装置２との間で指示信号およびデータの送受信を行う。
【００６０】
図６は、測定装置２と情報処理装置３の処理を示すフローチャートである。
【００６１】
情報処理装置３のＣＰＵ３０１は、入力部３２を介してオペレータによる測定指示を受け付けると（Ｓ１０１：ＹＥＳ）、測定開始信号を測定装置２に送信する（Ｓ１０２）。一方、測定装置２のＣＰＵ２５は、情報処理装置３から測定開始信号を受信すると（Ｓ２０１：ＹＥＳ）、測定試料の調製を行い（Ｓ２０２）、調製した測定試料をフローセル２０５内に流す（Ｓ２０３）。続いて、上述したように、レーザ光源２０１から出射されたレーザ光が、フローセル２０５内を流れる測定試料に照射され、測定試料に含まれる粒子ごとに、前方散乱光と、側方散乱光と、偏光解消側方散乱光と、側方蛍光が、それぞれ、フォトダイオード２０９と、フォトマルチプライヤ２１３、２１５、２１７により検出される（Ｓ２０４）。
【００６２】
続いて、ＣＰＵ２５は、検出した各光に対応する信号波形を取得し（Ｓ２０５）、取得した信号波形に基づいて、上述した複数の特徴パラメータを算出する（Ｓ２０６）。しかる後、ＣＰＵ２５は、算出した粒子ごとの複数の特徴パラメータ（測定データ）を、情報処理装置３に送信する（Ｓ２０７）。
【００６３】
一方、情報処理装置３のＣＰＵ３０１は、測定データを受信すると（Ｓ１０３：ＹＥＳ）、第１スキャッタグラムにおいて領域Ａ１１を設定する（Ｓ１０４）。具体的には、図７（ａ）に示すように、測定データに含まれる各粒子が、前方散乱光信号の幅（ＦＳＣＷ）と前方散乱光信号のピーク値（ＦＳＣＰ）を２軸とする第１スキャッタグラム上にプロットされる。そして、第１スキャッタグラムにおいて固定の領域Ａ１１が設定される。
【００６４】
図７（ａ）において、領域Ａ１１は、測定試料に含まれる赤血球と結晶に対応する領域であり、領域Ａ１１以外の領域は、測定試料に含まれる円柱、菌、ごみ等に対応する領域である。ＣＰＵ３０１は、第１スキャッタグラム上の領域Ａ１１に含まれる粒子を抽出する（Ｓ１０５）。
【００６５】
なお、ここでは、説明の便宜上、第１スキャッタグラムに粒子がプロットされ、第１スキャッタグラムに設定された領域Ａ１１に含まれる粒子が抽出されている。しかしながら、第１スキャッタグラムと領域Ａ１１は、必ずしも図形やグラフとして作成される必要はなく、領域Ａ１１に含まれる粒子の抽出は、特定の数値範囲に属する粒子のみをフィルタリングによって抽出するデータ処理によって行われるようにしても良い。同様に、後述する第２〜第５スキャッタグラムと領域Ａ２１、Ａ２２、Ａ３１、Ａ３２、Ａ４１、Ａ５１も、必ずしも図形やグラフとして作成される必要はなく、領域Ａ２１に含まれる粒子の抽出と、領域Ａ３１、Ａ４１、Ａ５１に含まれる粒子数の計数は、データ処理によって行われるようにしても良い。
【００６６】
次に、ＣＰＵ３０１は、第２スキャッタグラムにおいて領域Ａ２１、Ａ２２を設定する（Ｓ１０６）。具体的には、図７（ｂ）に示すように、Ｓ１０５で抽出した領域Ａ１１の各粒子が、偏光解消側方散乱光信号のピーク値（ＰＳＳＣＰ）と前方散乱光信号のピーク値（ＦＳＣＰ）を２軸とする第２スキャッタグラム上にプロットされる。そして、第２スキャッタグラムにおいて固定の領域Ａ２１、Ａ２２が設定される。
【００６７】
図７（ｂ）において、横軸のＰＳＳＣＰは、粒子から生じる側方散乱光のうち、測定試料に照射される前の偏光方向に垂直な偏光方向の光成分の割合（初期の偏光状態が崩される度合い）を示すものである。このため、赤血球に比べて、通常、初期の偏光状態を崩す成分を多く含むとされる結晶が、ＰＳＳＣＰの値が大きい領域に分布することになる。よって、図７（ｂ）に示すように第２スキャッタグラムにおいて領域Ａ２１、Ａ２２が設定されると、領域Ａ２１、Ａ２２は、それぞれ、赤血球と結晶に対応する領域となる。
【００６８】
なお、赤血球と結晶は、何れも核を有さず、同様の大きさを有している。このため、偏光解消側方散乱光を用いることなく、赤血球と結晶の弁別を精度良く行うことは困難である。しかしながら、本実施の形態では、赤血球は初期の偏光状態をほとんど崩さず、結晶は異方性を有するため初期の偏光状態を大きく崩すことに着目し、偏光解消側方散乱光を用いて赤血球と結晶との弁別（領域Ａ２１、Ａ２２を設定）がなされている。これにより、偏光解消側方散乱光を用いない場合に比べて、赤血球と結晶を精度良く区別することが可能となる。
【００６９】
こうして、領域Ａ２１、Ａ２２が設定されると、ＣＰＵ３０１は、第２スキャッタグラム上の領域Ａ２１に含まれる粒子を抽出する（Ｓ１０７）。
【００７０】
次に、ＣＰＵ３０１は、第３スキャッタグラムにおいて領域Ａ３１、Ａ３２を設定する（Ｓ１０８）。具体的には、図７（ｃ）に示すように、Ｓ１０７で抽出した各粒子が、側方蛍光信号のピーク値（ＦＬＰ）と前方散乱光信号のピーク値（ＦＳＣＰ）を２軸とする第３スキャッタグラム上にプロットされる。そして、第３スキャッタグラムにおいて固定の領域Ａ３１、Ａ３２が設定される。
【００７１】
図７（ｃ）において、横軸のＦＬＰは、粒子内で最も強く染まっている部分の染色度合いを示すものである。赤血球は、細胞膜が染料によって染色されているため、その他の成分（ごみや残存する結晶など）に比べてＦＬＰの値が高い位置に分布し、その他の成分が、ＦＬＰの値が小さい領域に分布することになる。縦軸のＦＳＣＰは、粒子の大きさを示すものである。赤血球はある程度決まった大きさを有しているため、ＦＳＣＰの値が所定の範囲である領域に分布することになる。よって、図７（ｃ）に示すように第３スキャッタグラムにおいて領域Ａ３１、Ａ３２が設定されると、領域Ａ３１、Ａ３２は、それぞれ、赤血球とその他の成分に対応する領域となる。なお、領域Ａ３２には、ごみの他、Ｓ１０６、Ｓ１０７で取り除くことができなかった結晶も含まれる。
【００７２】
こうして、領域Ａ３１、Ａ３２が設定されると、ＣＰＵ３０１は、第３スキャッタグラム上の領域Ａ３１に含まれる粒子数を計数する（Ｓ１０９）。これにより、測定試料に含まれる赤血球の数が取得される。
【００７３】
次に、ＣＰＵ３０１は、第４スキャッタグラムにおいて領域Ａ４１を設定する（Ｓ１１０）。具体的には、図７（ｄ）に示すように、Ｓ１０５で抽出した粒子のうち、Ｓ１０８で領域Ａ３１に含まれる粒子を除く各粒子が、側方蛍光信号のピーク値（ＦＬＰ）と、前方散乱光信号のピーク値（ＦＳＣＰ）を２軸とする第４スキャッタグラム上にプロットされる。そして、第４スキャッタグラムにおいて固定の領域Ａ４１が設定される。
【００７４】
ここで、第４スキャッタグラムにプロットされる粒子は、Ｓ１０５で抽出された赤血球と結晶のうち、Ｓ１０８で最終的に区別された赤血球が除かれた残りの粒子である。このため、第４スキャッタグラムにプロットされる粒子には、赤血球はほとんど含まれない。よって、第４スキャッタグラムにおいて、結晶に対応する領域Ａ４１が設定されると、この領域Ａ４１には、概ね結晶のみが含まれることとなる。よって、この領域Ａ４１により、測定試料に含まれる結晶を精度良く抽出することができる。
【００７５】
こうして、領域Ａ４１が設定されると、ＣＰＵ３０１は、第４スキャッタグラム上の領域Ａ４１に含まれる粒子数を計数する（Ｓ１１１）。これにより、結晶の数が取得される。
【００７６】
続いて、ＣＰＵ３０１は、Ｓ１０９で取得した赤血球の数と、Ｓ１１１で取得した結晶の数を、表示部３１に表示する（Ｓ１１２）。こうして、測定装置２と情報処理装置３の処理が終了する。
【００７７】
次に、実際の尿検体に対して、顕微鏡を使用した目視による計数結果と、本実施の形態による計数結果を比較する。
【００７８】
図８（ａ）は、所定の尿検体についての、顕微鏡を使用した目視による計数結果と、本実施の形態による計数結果を示す図である。この場合の尿検体には、目視の結果、赤血球が２２８８．０個／μＬ含まれており、結晶が０．０個／μＬ含まれている。図８（ｂ）、（ｃ）は、この場合の尿検体について、それぞれ、本実施の形態の第３、第４スキャッタグラムにおける分画を行った結果を示す図である。
【００７９】
赤血球は、腎・尿路系疾患や出血性疾患により尿中に出現する。一般に、尿検体１μＬに含まれる赤血球が２０個以上あれば、この尿検体を採取した患者は、腎・尿路系疾患や出血性疾患に罹患している可能性が高いとされる。
【００８０】
図８（ａ）の目視結果によれば、この尿検体１μＬに含まれる赤血球は２０個以上であった。一方、図８（ａ）の本実施の形態の結果によれば、目視結果の場合と同様、この尿検体１μＬに含まれる赤血球は２０個以上であった。なお、図８（ｂ）、（ｃ）を併せて参照すると、領域Ａ３１に含まれる粒子の数が多く、領域Ａ４１に含まれる粒子の数が少ないため、この尿検体に含まれる赤血球は多く、結晶は少ないことが分かる。よって、本実施の形態によれば、目視結果と同様、この尿検体を採取した患者について、赤血球が多いことに基づいて、オペレータは、この患者が腎・尿路系疾患や出血性疾患に罹患している可能性が高いと判断することができる。
【００８１】
図９（ａ）は、図８（ａ）〜（ｃ）の場合とは異なる他の尿検体についての、顕微鏡を使用した目視による計数結果と、本実施の形態による計数結果を示す図である。この場合の尿検体には、目視の結果、赤血球が０．０個／μＬ含まれており、結晶が１６０．０個／μＬ含まれている。図９（ｂ）、（ｃ）は、この場合の尿検体について、本実施の形態の第３、第４スキャッタグラムにおける分画を行った結果を示す図である。
【００８２】
図９（ａ）の目視結果によれば、この尿検体１μＬに含まれる赤血球は２０個未満であった。一方、図９（ａ）の本実施の形態の結果によれば、目視結果の場合と同様、この尿検体１μＬに含まれる赤血球は２０個未満であった。なお、図９（ｂ）を併せて参照すると、領域Ａ３１に含まれる粒子の数は少ないため、この尿検体に含まれる赤血球は少ないことが分かる。また、図９（ｃ）を併せて参照すると、領域Ａ４１には一定数の粒子が含まれているため、結晶の分類が適正に行われていることが分かる。よって、本実施の形態によれば、目視結果と同様、この尿検体を採取した患者について、赤血球が少ないことに基づいて、オペレータは、この患者が腎・尿路系疾患や出血性疾患に罹患している可能性が低いと判断することができる。
【００８３】
なお、結晶は、健常人の尿検体中にも含まれるため、結晶の数のみに基づいて、疾患を特定することは困難である。しかしながら、本実施の形態では、上述したように尿検体から結晶を区別することができるため、赤血球を精度良く計数することができる。
【００８４】
以上、本実施の形態によれば、偏光解消側方散乱光信号のピーク値（ＰＳＳＣＰ）と前方散乱光信号のピーク値（ＦＳＣＰ）を２軸とする第２スキャッタグラムにおいて、領域Ａ２１、Ａ２２を設定するにより、測定試料に含まれる赤血球と結晶とを分類（区別）することができる。さらに、側方蛍光信号のピーク値（ＦＬＰ）と前方散乱光信号のピーク値（ＦＳＣＰ）を２軸とする第３スキャッタグラムにおいて、領域Ａ３１、Ａ３２を設定することにより、領域Ａ２１に含まれる粒子を、赤血球と赤血球以外の粒子とを分類（区別）することができる。これにより、結晶が多数含まれる尿であっても、結晶やその他の粒子を区別することができるため、赤血球の計数精度を高めることができる。
【００８５】
また、本実施の形態によれば、赤血球を精度良く計数することにより、腎・尿路系疾患や出血性疾患の診断において重要な情報を取得することができる。より具体的には、第３スキャッタグラムの領域Ａ３１に含まれる粒子数を計数することにより、赤血球の数が精度良く取得され、取得された数が表示される。これにより、オペレータは、赤血球が多いことに基づいて、この患者が腎・尿路系疾患や出血性疾患に罹患している可能性が高いと判断することができる。
【００８６】
なお、腎・尿路系疾患や出血性疾患の可能性が高いと一般に判断される場合、図６のＳ１１２において、情報処理装置３の表示部３１に、図１０に示す画面Ｄ１が表示されるようにしても良い。画面Ｄ１には、腎・尿路系疾患や出血性疾患の可能性が高いと判断された根拠（赤血球の数）と、罹患の可能性を示唆する旨が表示される。また、図６のＳ１１２において、第２〜第４スキャッタグラムが併せて表示されても良い。
【００８７】
また、本実施の形態によれば、レーザ光源２０１から出射されるレーザ光の偏光方向が、フローセル２０５内を流れる測定試料の流れ方向（Ｚ軸方向）に平行となっている。これにより、フローセル２０５内を流れる粒子に対して、Ｘ軸正方向にレーザ光が照射されると、蛍光は略Ｙ軸方向に生じるため、側方散乱光と蛍光とを略同一の方向（Ｙ軸正方向）で受光することができる。これにより、光学検出部２３の構成を簡素にすることができる。また、上記のように光学検出部２３を構成した場合、フローセル２０５のＹ軸正方向側に配置されたフォトマルチプライヤ２１７により側方蛍光を効率良く検出することができる。
【００８８】
また、本実施の形態によれば、偏光フィルタ２１４により、測定試料に照射されるレーザ光と同じ偏光方向の側方散乱光が遮断されるため、フォトマルチプライヤ２１５は、偏光解消側方散乱光を効率的に検出することが可能となる。
【００８９】
以上、本発明の実施の形態について説明したが、本発明は、上記実施の形態に制限されるものではなく、また、本発明の実施の形態も上記以外に種々の変更が可能である。
【００９０】
たとえば、上記実施の形態では、直線偏光の光を出射させる光源として、レーザ光源２０１が用いられたが、これに限らず、ランプから出射された光のうち、偏光フィルタにより一方向の偏光成分の光のみが抽出されるように構成された光源ユニットが用いられるようにしても良い。
【００９１】
また、上記実施の形態では、レーザ光源２０１は、直線偏光の偏光方向が、フローセル２０５上のレーザ光の照射位置における測定試料の流れ方向（Ｚ軸方向）に平行となるよう、測定装置２内に配置された。しかしながら、レーザ光源２０１から出射されるレーザ光の偏光方向は、必ずしも測定試料の流れ方向に一致していなくても良く、測定試料の流れ方向に対してやや傾いていても良い。この場合、上記の実施の形態に比べて、粒子から生じる蛍光の進行方向はＹ軸方向から離れることになる。よって、フォトマルチプライヤ２１７により蛍光を効率良く検出するためには、上記実施の形態のように、レーザ光源２０１から出射されるレーザ光の偏光方向は、測定試料の流れ方向に一致しているのが望ましい。
【００９２】
また、上記実施の形態では、第２スキャッタグラムの横軸は偏光解消側方散乱光信号のピーク値（ＰＳＳＣＰ）とされたが、これに限らず、粒子から生じる側方散乱光のうち、初期の偏光方向と異なる偏光方向の光成分の割合（初期の偏光状態が崩される度合い）を反映する特徴パラメータであれば良い。たとえば、横軸は、偏光解消側方散乱光信号の面積（ＰＳＳＣＡ）であっても良い。なお、横軸の特徴パラメータとして、ＰＳＳＣＰ、ＰＳＳＣＡの何れを用いるかは、測定試料に照射されるレーザ光のビームスポットの大きさ、フローセル２０５内を流れる測定試料の速度、アナログ信号処理回路２４１の増幅度などによって適宜設定され得る。
【００９３】
また、第２スキャッタグラムの横軸は、粒子から生じる前方散乱光のうち、初期の偏光方向と異なる偏光方向の光成分の割合を反映する特徴パラメータであっても良い。上述したように、フォトダイオード２０９には、フローセル２０５から生じた偏光方向が不揃いの前方散乱光が入射する。このため、フォトダイオード２０９のＸ軸負方向側にハーフミラーを配置し、このハーフミラーによって分割された前方散乱光を偏光フィルタに通せば、粒子から生じる前方散乱光のうち、初期の偏光方向と異なる偏光方向の光成分（偏光解消前方散乱光）を受光することができる。この場合も、受光した偏光解消前方散乱光の割合（初期の偏光状態が崩される度合い）を反映する特徴パラメータを第２スキャッタグラムの横軸とすることで、上記実施の形態と同様、赤血球と結晶とを分類することができる。
【００９４】
また、第２スキャッタグラムに替えて、横軸を偏光解消側方散乱光信号のピーク値（ＰＳＳＣＰ）、縦軸を粒子の度数とするヒストグラムが用いられても良い。この場合、Ｓ１０７において、第２スキャッタグラムの領域Ａ２１と同様、ヒストグラムにおいてＰＳＳＣＰの値が小さい範囲の粒子が抽出される。
【００９５】
また、上記実施の形態では、第３、第４スキャッタグラムの横軸は側方蛍光信号のピーク値（ＦＬＰ）とされたが、これに限らず、粒子内で最も強く染まっている部分の染色度合いを反映する特徴パラメータであれば良い。たとえば、横軸は、側方蛍光信号の面積（ＦＬＡ）であっても良い。この場合、横軸の特徴パラメータとして、ＦＬＰ、ＦＬＡの何れを用いるかは、測定試料に照射されるレーザ光のビームスポットの大きさ、フローセル２０５内を流れる測定試料の速度、アナログ信号処理回路２４１の増幅度などによって適宜設定され得る。
【００９６】
また、上記実施の形態では、第３、第４スキャッタグラムの縦軸は前方散乱光信号のピーク値（ＦＳＣＰ）とされたが、これに限らず、粒子の大きさを反映する特徴パラメータであれば良い。たとえば、縦軸は、前方散乱光信号の面積（ＦＳＣＡ）であっても良い。この場合、縦軸の特徴パラメータとして、ＦＳＣＰ、ＦＳＣＡの何れを用いるかは、測定試料に照射されるレーザ光のビームスポットの大きさ、フローセル２０５内を流れる測定試料の速度、アナログ信号処理回路２４１の増幅度などによって適宜設定され得る。
【００９７】
また、上記実施の形態では、Ｓ１０５で抽出された赤血球と結晶から、Ｓ１０８で最終的に区別された赤血球を除くことにより、第４スキャッタグラムを作成して結晶の数を取得した。しかしながら、これに限らず、Ｓ１０５で抽出された赤血球と結晶から、初期の偏光状態を大きく崩す粒子、すなわち、第２スキャッタグラムの領域Ａ２２に含まれる粒子を結晶としても良い。さらに、第２スキャッタグラムの領域Ａ２２に含まれる粒子を、第３スキャッタグラムにプロットし、第３スキャッタグラムの領域Ａ３２に含まれる粒子を結晶としても良い。
【００９８】
また、上記実施の形態では、粒子の大きさを反映する特徴パラメータは、光学検出部２３において検出された前方散乱光信号に基づいて生成されたが、これに限らず、測定装置２内に別途設けられた電気抵抗式の検出器によって検出された信号に基づいて生成されるようにしても良い。
【００９９】
また、上記実施の形態では、レーザ光源２０１から出射されるレーザ光の偏光方向が、フローセル２０５内を流れる測定試料の流れ方向に平行となるよう、測定装置２内にレーザ光源２０１が設置された。しかしながら、これに限らず、レーザ光源２０１の出射側に１／２波長板を配置し、光軸を中心とする１／２波長板の回転位置を調整することにより、レーザ光源２０１から出射されるレーザ光の偏光方向が、フローセル２０５内を流れる測定試料の流れ方向に平行となるようにしても良い。
【０１００】
また、上記実施の形態では、領域Ａ１１、Ａ２１、Ａ２２、Ａ３１、Ａ３２、Ａ４１は、あらかじめ決められた固定領域であったが、これに限らず、固定領域に基づいて適宜微調整された領域であっても良い。また、領域Ａ１１、Ａ２１、Ａ２２、Ａ３１、Ａ３２、Ａ４１の位置、形状は、必ずしも、図７（ａ）〜（ｄ）に示すものに限られず、赤血球と結晶を精度よく抽出可能な位置および形状に適宜調整され得る。
【０１０１】
また、光学系の構成は、必ずしも、図３に示す構成に限られるものではなく、結晶の成分に基づく旋光性の度合いに基づいて結晶と赤血球とを区別するための特徴パラメータを取得可能な構成であれば良い。たとえば、偏光フィルタ２１４の透過偏光方向は、必ずしもＸ軸方向に平行でなくとも良く、成分の旋光性を類別可能な範囲で、Ｘ軸方向から傾いていても良い。
【０１０２】
また、上記実施の形態では、測定試料に含まれる結晶の抽出は、第４スキャッタグラムに設定された領域Ａ４１に基づいて行われたが、これに限らず、以下に示すように第５スキャッタグラムに設定された領域Ａ５１に基づいて行われても良い。
【０１０３】
図１１（ａ）は、この場合の情報処理装置３の処理を示すフローチャートである。図１１（ａ）では、図６に示す処理と比較して、Ｓ１１０、Ｓ１１１に替えてＳ３０１、Ｓ３０２が追加されている。以下、Ｓ３０１、Ｓ３０２の処理について説明する。
【０１０４】
Ｓ１０９の処理が終わると、情報処理装置３のＣＰＵ３０１は、第５スキャッタグラムにおいて領域Ａ５１を設定する（Ｓ３０１）。具体的には、Ｓ１０６において第２スキャッタグラムに設定された領域Ａ２２に含まれる各粒子が、第５スキャッタグラム上にプロットされる。第５スキャッタグラムの２軸は、上記第４スキャッタグラムの２軸と同じである。そして、図１１（ｂ）に示すように、第５スキャッタグラムにおいて固定の領域Ａ５１が設定される。領域Ａ５１は、上記領域Ａ４１と同じ範囲を示す領域である。なお、図１１（ｂ）において、プロットされた粒子の図示は、便宜上、省略されている。ＣＰＵ３０１は、第５スキャッタグラム上の領域Ａ５１に含まれる粒子数を計数する（Ｓ３０２）。これにより、結晶の数が取得される。
【０１０５】
このように、第５スキャッタグラム上の粒子は、第２スキャッタグラム上の粒子から、赤血球に対応する領域Ａ２１内の粒子が除かれたものである。結晶は、第５スキャッタグラム上の粒子から、結晶に対応する領域Ａ５１によって抽出されたものである。したがって、この場合も、測定試料に含まれる結晶を精度良く抽出できる。
【０１０６】
また、上記実施の形態では、分析対象が尿検体であったが、これに限らず、分析対象は、血液および尿を除く、生体内を満たし、または、循環する体液であっても良い。体液として、たとえば、脳脊髄液（ＣＳＦ：脳室とくも膜下腔に満たされている液）、胸水（胸膜液、ＰＥ：胸膜腔に溜まった液）、腹水（腹膜腔に溜まった液）、心嚢液（心膜腔に溜まった液）、関節液（滑液：関節、滑液嚢、腱鞘に存在する液）、などが挙げられる。また、体液として、腹膜透析（ＣＡＰＤ）の透析液や腹腔内洗浄液なども挙げられる。
【０１０７】
これら体液が分析対象である場合も、尿検体が分析対象である場合と同様、分析を行う検体分析装置では、図６と図１１（ａ）に示す処理が行われることにより、赤血球と結晶とを分類でき、赤血球および結晶をそれぞれ精度良く計数できる。
【０１０８】
たとえば、結晶誘発性の痛風に罹患している患者の場合、関節液に結晶が含まれることがある。関節液に含まれる結晶の数は、結晶誘発性の痛風の診断において重要である。しかし、体液に内出血が混じっていたり、体液を採取するときに血液が混じっていたりすると、赤血球が結晶の計数結果に影響を与える可能性がある。本実施形態によれば、そのような赤血球と結晶が混在した体液であっても、赤血球の影響を受けずに結晶を計数できる。よって、体液を採取するときに血液が混じっても、再度体液を採取するといった患者への負担を回避できる。
【０１０９】
この他、本発明の実施の形態は、特許請求の範囲に示された技術的思想の範囲内において、適宜、種々の変更が可能である。
【符号の説明】
【０１１０】
１  …  尿検体分析装置（検体分析装置）
３  …  情報処理装置（解析部）
２２  …  試料調製部
２０１  …  レーザ光源（照射ユニット）
２０５  …  フローセル
２０９  …  フォトダイオード（他の検出部）
２１４  …  偏光フィルタ
２１５  …  フォトマルチプライヤ（検出部）
【図１】
2015064344.tif 000003
【図２】
2015064344.tif 000004
【図３】
2015064344.tif 000005
【図４】
2015064344.tif 000006
【図５】
2015064344.tif 000007
【図６】
2015064344.tif 000008
【図１０】
2015064344.tif 000009
【図１１】
2015064344.tif 000010
【図７】
2015064344.tif 000011
【図８】
2015064344.tif 000012
【図９】
2015064344.tif 000013